(57)【特許請求の範囲】
【請求項１】
鉛直な壁に設けられた固定窓の室内側手前に水平なカウンター板が設けられ、このカウンター板の下側に、上記固定窓と同じ鉛直方向でしかも横長の換気口が設けられ、この換気口の室外側天面にヒンジを有し、室外側に向かって回動自在に開く換気用小窓が形設され、上記換気口の室内側下部に、更に上記換気用小窓の開閉装置を取付するための横枠が設けられ、この横枠内壁と換気口の室内側下部との同一高さ位置に、対向し横枠に沿ってレールが設けられ、このレールに該レール内を摺動する、引きばね付きで、端部に凹部を有するスライダーが設けられ、このスライダー上に上記換気用小窓に設けた各フックをロックするための掛止ピン付支持台とリミットスイッチ当接用の接触部材を付設し
更に上記スライダーが全閉ロック位置に達した時、通電されてスライダー端部の凹部へ突出軸の先端が入り込むように取付されたソレノイドが設けられた一方、
他方において上記スライダーとは別個に設けた左右のガイド内を遊動する支持用段軸に遊嵌状に枢着した引ばね付各摺動ステイの対向側端部と換気用小窓に付設の蝶番部材とが枢着され上記リミットスイッチと、上記ソレノイドと、ソレノイドを開放操作する操作スイッチとで閉ループ回路が形成され、
上記操作スイッチを操作することによって上記換気用小窓が自動開放され、手動で上記換気用小窓を閉じることによって自動開放準備が整うことを特徴とする換気用小窓の開閉装置。
【発明の詳細な説明】
【０００１】
【産業上の利用分野】
本発明は、換気用小窓の開閉装置に関するもので、詳しくは建物内の固定窓（嵌め殺し窓ともいう）より低位置の箇所（床面より１米以内）に回動自在に付設された横長で縦幅の短小な換気用小窓を、微小電流による電磁器具と弾機の連係作用によって閉窓ロックを解除して開窓し、閉窓は人力によって行うようにしたものである。
【０００２】
【従来技術】
従来、横方向に長く縦方向に短い、所謂長方形窓（別称、欄間窓）の開閉装置として提供された排煙窓（実開昭５９−１８８２７９号公開公報）は、横方向にステイダンパーを左右設置して開窓を試みた先行技術であるが、左右のダンパーの内何れか一方のダンパーが作動しない事態が生じたときは、開窓は不能で、かつ捩れモーメントによる偏荷重が作用して破損箇所が生ずるうえ、配設コストが高騰するため実施上の難点となっている。
【０００３】
【発明が解決しようとする課題】
設置箇所の開窓用各部材が、固定窓やカウンターより低位置にあるが、室内の窓際より離れた箇所からは望見できないようにすることで美観を維持すると共に、超簡易な構造によって各部材の作動に支障が生じない堅牢かつ確実な機能を確保して、従来技術のネックを解消することが主課題である。
【０００４】
【発明の目的】
室内美観の維持を計りながら、スイッチ操作で開窓が、人力（手動または足の踏みつけなど）で閉窓が適確にできる省力化機能を達成させ、需要層に至便性と故障が生じ難い機能の充実性ならびに廉価などのメリットを提供することにある。
【０００５】
【課題を解決するための手段】
本発明における換気用小窓の開閉装置は、鉛直な壁に設けられた固定窓の室内側手前に水平なカウンター板が設けられ、このカウンター板の下側に、上記固定窓と同じ鉛直方向でしかも横長の換気口が設けられ、この換気口の室外側天面にヒンジを有し、室外側に向かって回動自在に開く換気用小窓が形設され、上記換気口の室内側下部に、更に上記換気用小窓の開閉装置を取付するための横枠が設けられ、この横枠内壁と換気口の室内側下部との同一高さ位置に、対向し横枠に沿ってレールが設けられ、このレールに該レール内を摺動する、引きばね付きで、端部に凹部を有するスライダーが設けられ、このスライダー上に上記換気用小窓に設けた各フックをロックするための掛止ピン付支持台とリミットスイッチ当接用の接触部材を付設し
更に上記スライダーが全閉ロック位置に達した時、通電されてスライダー端部の凹部へ突出軸の先端が入り込むように取付されたソレノイドが設けられた一方、
他方において上記スライダーとは別個に設けた左右のガイド内を遊動する支持用段軸に遊嵌状に枢着した引ばね付各摺動ステイの対向側端部と換気用小窓に付設の蝶番部材とが枢着され上記リミットスイッチと、上記ソレノイドと、ソレノイドを開放操作する操作スイッチとで閉ループ回路が形成され、
上記操作スイッチを操作することによって上記換気用小窓が自動開放され、手動で上記換気用小窓を閉じることによって自動開放準備が整うことを特徴として成るものである。
【０００６】
【作用】
（開窓）
固定窓の下側のカウンターと床面との間に配設されたスイッチを操作すると、回路の通電によってソレノイドが働き、先端部の吸引降下によってスライダーとの係合が解放されると、引きばねによってスライダーは移動し、スライダー上に付設された掛止ピン付各支持台とリミットスイッチ当接用の接触部材も移動して換気用小窓の凹部に固設された各フックのＶ溝と掛止ピンとの係合がはずれて換気用小窓のロックが外れることになる。このロックがはずれると、それまで一側を換気用小窓の凹所に設けた蝶番部材に蝶着し、他側をガイド内を移動の支持用段軸に枢着してなる左右の摺動ステイ（別称オープンスライダー）はともに相対方向（内向き）に各引ばねによって牽引されるので、該摺動ステイは換気用小窓を押し上げながら傾動し、引きばねによる牽引移動が終わるまで開窓運動を続け、換気用小窓が全開したとき摺動ステイが突っ張った状態になって停止することになる。
（閉鎖）
例えば全開中の換気用小窓ヒンジの反対側端部よりワイヤーを換気口を挿通して、一旦滑車（図示せず）に通し、更にワイヤーをスライダーの一部に引っ掛けて更にもう一度別の滑車（図示せず）に通して、ワイヤーを引張ることにより換気用小窓もスライダーも閉鎖方向に引張られてくるように構成した上で床面近傍までパネルの裏側に沿って降下させ、パネルの外部からペタルを踏みつければワイヤーが牽引されるような簡易なワイヤー牽引装置（図示せず）の働きがあって閉窓が行なわれると、ワイヤーの牽引により換気用小窓もスライダーも閉鎖方向に引張られてくる。換気用小窓が閉じるにしたがって換気用小窓と繋がった摺動ステイは開放時と逆の軌跡をたどりながらガイド内を当初の位置に戻り、引きバネもまた同様に付勢力を高めて伸ばされてゆく。
換気用小窓が換気口部に当接して更にワイヤーが引張られると今度はスライダーが取付された引きばねに逆らって移動を始め、スライダー上に設けられた支持台上の掛止ピンは既に換気用小窓と共に移動し終えて停止して待つフックのＶ溝に近づいてゆき、リミットスイッチ当接用の接触部材も次第にリミットスイッチに近づいてゆく。そして当接用の接触部材がリミットスイッチに当接した時、丁度スライダー端部に設けられた凹部も全閉位置に達し、リミットスイッチが働いてソレノイドの先端部が上昇して凹部にはまり込み、また、換気用小窓のフックに掛止ピンも完全にはまり込んで閉窓時のロックが樹立する。
以上の如き開窓および閉窓を換気状態の良否に合せて反復繰り返し、室内での空気清浄化を計ることが至って容易に行なえることになる。
【０００７】
【実施例】
図１は、本発明の一実施例を示す換気用小窓の開閉装置を配設した概略の全体見取り図、図２は図１におけるＡ−Ａ視一部欠切断面図、図３は図１におけるＢ−Ｂ視一部欠切断面図、図４は図１におけるＣ−Ｃ視一部欠切断面図であり、図５は本発明の開閉装置を配設した概略の平面図である。
図においてまず本装置の構成を説明すると、この換気用小窓１の開閉装置は鉛直な壁に設けられた固定窓Ｗの室内側手前に水平なカウンター板Ｋが設けられ、このカウンター板Ｋの下側に、固定窓Ｗと同じ鉛直方向でしかも横長の換気口Ｖが設けられ、この換気口Ｖの室外側天面（カウンター板Ｋの裏面）にヒンジ１Ａを有し、室外側に向かって回動自在に開く換気用小窓１が形設され、換気口Ｖの室内側下部に、更に換気用小窓１の開閉装置を取付するための横枠Ｂが設けられ、この横枠Ｂ内壁と換気口Ｖの室内側下部との同一高さ位置に対向し横枠Ｂに沿ってレール１２が設けられ、このレール１２にレール１２内を摺動する、引きばね１４付きで、端部に凹部１１Ａを有するスライダー１１が設けられ、このスライダー１１上に換気用小窓１の凹部１Ｂに取付した略々横Ｖ字型の各フック５のＶ溝６と係合するための２個の掛止ピン３付の略々横Ｖ字型を有する支持台４とリミットスイッチ１５当接用の接触部材１６とを付設し、更に上記スライダー１１が全閉ロック位置に達した時、通電されてスライダー端部の凹部１１Ａへ突出軸の先端が入り込むようにされたソレノイド２が横枠Ｂに固設されてなる。すなわちこのソレノイド２は閉窓時におけるロックの役目をする。また、この引きばね１４は一方をスライダー上面に突設したブラケット１３と横枠Ｂの壁面に設けたブラケット１３Ａとの間に弾力を調整できるタンバックル１３Ｂを介して取付されている。
他方においてスライダー１１とは別個に設けた左右のガイド１８内を遊動する支持用段軸１０に遊嵌状に枢着した引ばね１７付各摺動ステイ８の対向側端部と換気用小窓１に付設の蝶番部材７とが枢着されてなる。この換気用小窓１を開閉するための腕杆として付設された摺動ステイ８の一側は、スライダー１１とは別に設けられたガイド１８内を移動する支持用段軸１０の上端側に枢着され、他側は換気用小窓１の凹部１Ｂに固設された蝶番部材７に枢支部９を経て蝶着されているが、摺動ステイ８は換気用小窓１が全開時は水平となるので支持用段軸１０とは高低の差がでるため摺動ステイ８は斜めに傾かないと制動されるため、前記支持用段軸１０との枢着部に遊びが必要となるので、予め摺動ステイ８の孔を支持用段軸１０の外径より大きくして、段軸に挿入された摺動ステイ８が傾斜自在になるように計ってある。また、リミットスイッチ１５と、ソレノイド２と、ソレノイドを開放操作する操作スイッチＳとで閉ループ回路が形成され、操作スイッチＳを操作することによって換気用小窓１が自動開放され、手動で上記換気用小窓１を閉じることによって自動開放の準備が整うことを特徴とする換気用小窓１の開閉装置である。なお、閉窓手段は図示しないが換気用小窓１の中央下端に取りつけたワイヤーを手動または足踏みペタルでスライダー１１と共に牽引すればよく、慣用手段を使用するのが好ましい。
【０００８】
次に本装置の動作について説明する。まず動作について図２〜図４では説明しきれない点があるので、あらかじめ注釈を加えると、図５において、左右側のガイド１８とスライダー１１とは高低差があり、図４におけるガイド１８の下のブラケットは記号が入れてないのでも明らかなようにスライダー１１とは異なり、ボルト（図示せず）で横枠Ｂに固着されそのためガイド自身も固定され、動くのはガイド内を摺動する支持用段軸１０より上部に設けられたものである。また図５における右側のガイド１８下のブラケットも同様である。図５におけるスライダー１１は全閉停止時における位置のもので、現位置から右側に設けられたガイド１８の左端に到達するまでが移動可能なように構成され図２、図３において記したようにレール１２上を摺動してなる。
【０００９】
（開窓）
固定窓Ｗの下側のカウンターＫと床面の間に配設されたスイッチＳを操作すると、回路の通電によってソレノイド２が働き、先端部の吸引降下によってスライダー凹部１１Ａとの係合が解放されると、引きばね１４によってスライダ１１ーは右側に移動し、スライダー１１上に付設された掛止ピン３付各支持台４とリミットスイッチ１５当接用の接触部材１６も移動して換気用小窓１の凹部１Ｂに固設された各フック５のＶ溝６と掛止ピン３との係合がはずれて換気用小窓１とのロックが外れることになる。このロックがはずれると、それまで一側を換気用小窓１の凹所に設けた蝶番部材７に蝶着し、他側をガイド内を移動の支持用段軸１０に枢着してなる左右の摺動ステイ８は支持用段軸１０が内向きに各引ばね１７によって牽引されるので換気用小窓１を蝶番部材７と共に遊挿状に押し上げながら傾動し、引きばねによる牽引移動が終わるまで開窓運動を続け、換気用小窓１が全開したとき摺動ステイ８が突っ張った状態になって停止することになる。構成において述べたように摺動ステイ８の孔を支持用段軸１０の外径より大きくして、段軸に挿入された摺動ステイ８が傾斜自在になるように計ってあり、また、さらに換気用小窓１に蝶番部材７を設けてあるため換気用小窓１はより大きく開くようになっている。
（閉鎖）
例えば全開中の換気用小窓１のヒンジ１Ａの反対側端部よりワイヤー（図示せず）を換気口Ｖを挿通して、一旦滑車（図示せず）に通し、更にワイヤーをスライダーの一部に引っ掛けて更にもう一度別の滑車（図示せず）に通して、ワイヤーを引張ることにより換気用小窓１もスライダー１１も閉鎖方向に引張られてくるようにした上で床面近傍までパネルの裏側に沿って降下させ、パネルの外部からペタルを踏みつければワイヤーが牽引されるような簡易なワイヤー牽引装置（図示せず）を設けたとして説明する。
まず、ワイヤーの牽引により換気用小窓１もスライダー１１も閉鎖方向に引張られてくる。換気用小窓１が閉じるにしたがって換気用小窓１と繋がった蝶番部材７、摺動ステイ８は開放時と逆の軌跡をたどりながら左右のガイド内を当初の位置に向かって戻ってゆき、引きバネ１７もまた同様に付勢力を高めて伸びてゆく。
換気用小窓１が換気口Ｖに当接して更にワイヤーが引張られると今度はスライダー１１が取付された引きばね１４に逆らってレール１２上を移動を始め、スライダー１１上に設けられた支持台４上の掛止ピン３は、既に換気用小窓と共に移動し終えて停止して待つフック５のＶ溝６に近づいてゆき、リミットスイッチ１５当接用の接触部材１６も次第にリミットスイッチ１５に近づいてゆく。そして当接用の接触部材１６がリミットスイッチ１５に当接した時、丁度スライダー１１端部に設けられた凹部１１Ａも全閉位置に達し、リミットスイッチ１５が働いてソレノイド２の先端部が上昇して凹部１１Ａにはまり込んでスライダー１１の動きがロックされ、また、換気用小窓１のフック５のＶ溝６に掛止ピン３も完全にはまり込んで閉窓時のロックが完成する。以上の如き開窓および閉窓を換気状態の良否に合せて反復繰り返し、室内での空気清浄化を計ることが至って容易に行えることになる。
【００１０】
【発明の効果】
本発明によれば、弾機がステイダンパーで無いため、作動不能や高価な製造費は回避できるうえ、カウンター下部のパネル内に開閉装置が納まる構成のため美観を損なうことも無く、堅牢にして安全確実な省力的効果が需要層に供せられると共に、取外しが可能なカウンターのため配設工事が頗る容易になるため、任意の点検や整備にも省力効果が存分に発揮できる。
【図面の簡単な説明】
【図１】本発明の開閉装置を配設した全体の概略見取り図。
【図２】図１のＡ−Ａ視一部欠切断面図。
【図３】図１のＢ−Ｂ視一部欠切断面図。
【図４】図１のＣ−Ｃ視一部欠切断面図。
【図５】本発明の開閉装置を配設した概略の平面図。
【符号の説明】
１    換気窓
１Ａ  ヒンジ
１Ｂ  凹部
２    ソレノイド
３    掛止ピン
４    支持台
５    フック
６    Ｖ  溝
７    蝶番部材
８    摺動ステイ
９    枢支部
１０    支持用段軸
１１    スライダー
１１Ａ  凹部
１２    レール
１３    ブラケット
１３Ａ  ブラケット
１３Ｂ  タンバックル
１４    引ばね
１５    リミットスイッチ
１６    接触部材
１７    引ばね
１８    ガイド
Ｋ    カウンター
Ｂ    横枠
Ｗ    固定窓
Ｖ    換気口
Ｓ    スイッチ
ＤＰ    直流電源盤
ＤＣ    直流回路
【図１】
0003796700.tif 000002
【図２】
0003796700.tif 000003
【図３】
0003796700.tif 000004
【図４】
0003796700.tif 000005
【図５】
0003796700.tif 000006